【事件の表示】
　特願２００２−　２５４４１「現像装置およびそれを用いた画像形成装置」拒絶査定不服審判事件〔平成１５年　８月１５日出願公開、特開２００３−２２８２０７〕について、次のとおり審決する。
【結　論】
　本件審判の請求は、成り立たない。
【理　由】
１．手続の経緯・本願発明
　本願は、平成１４年２月１日の出願であって、その請求項１〜３に係る発明は、平成２０年１１月４日付け手続補正により補正された特許請求の範囲の請求項１〜３に記載された事項により特定されるとおりのものであるところ、請求項１に係る発明（以下「本願発明１」という。）は、以下のとおりである。
　
「位置移動型現像方式に用いる現像装置において、
　該現像装置は複数の端子を有するコネクタを介して読み書きが行われる情報記録媒体を備え、
　前記コネクタは基部と、前記基部の上方に立設された仕切壁と、前記仕切壁で仕切られた基部の一方の側に固定用穴を形成し、前記仕切壁の両面に複数のコネクタ端子を列状に配置し、前記仕切壁の一方の面にアース用端子を配置し、他方の面に電源用端子を配置し、前記仕切壁の前記固定穴の形成された側の面に配置される端子数を仕切壁の他方の側の面に配置される端子数より少なくし、かつ、前記仕切壁の前記固定穴の形成された側の端子の配置幅を、仕切壁の他方の側の面に配置される端の配置幅より狭くすることを特徴とする現像装置。」
　
２．引用文献
２−１．引用文献１
　これに対し、当審における平成２０年９月１６日付けの拒絶理由通知書において引用され、本願出願前に頒布された刊行物である特開平１０−３１２８７０号公報（以下「引用文献１」という）には、図面とともに以下の事項が記載されている。（下線は当審で付与した。）
　
２−１ａ．「【請求項１８】脱着可能なユニットを有して、記録媒体に画像を形成する画像形成装置において、
ユニット側にはＩＣを実装した第一コネクタを具備して、
画像形成装置側には線材接続用コネクタが接続できる第二コネクタを具備して、
前記第一と第二のコネクタが嵌合してＩＣの信号の送受信を第二コネクタを介して行ない、
前記ＩＣの端子間隔と線材接続用コネクタの接触子間隔は互いに異なり、前記第二コネクタ内部で異なる間隔の間隔変換を行なうことを特徴とする画像形成装置。」
　
２−１ｂ．「【００３９】さらに感光体ドラム７１が矢印方向にすすむと
軸７５ａに支持され割り出し回転を行う支持体７５に支持された現像器７４ａ、７４ｂ、７４ｃ、７４ｄのうち、例えばイエロートナーが収容された現像装置７４ａが感光体ドラム７１に対向するように支持体７５が回転され、上記の潜像は現像器７４ａによって可視化される
　
２−１ｃ．「【００５３】又、信号処理部４が内蔵するＣＰＵ１４はプリンタコントローラ２と通信ライン１５を介してシリアル通信を行なって、制御信号を交換し、プリンタコントローラ２とプリンタエンジン３の動作を同期させる。またＣＰＵ１４は、現像器メモリ２０３〜２０６と感光体ドラムメモリ２０７と、バックアップメモリ２３０をシリアル通信ライン２０２を介して通信を行っている。
前記現像器メモリ２０３〜２０６は、各色の現像器７４ａ，７４ｂ，７４ｃ，７４ｄに取り付けてあるＥＥＰＲＯＭであり
　
２−１ｄ．「【００５９】ＥＥＰＲＯＭ２０７と２０６はいづれもＤｉｐ形状のＩＣであり、カートリッジ側コネクタ１９６と１９８に直に接続される。
図６は、Ｄｉｐ形状のＥＥＰＲＯＭ−ＩＣのピン配置の一例
　
２−１ｅ．「【００６１】図８は、カートリッジ側コネクタ１９６（又は１９８）と画像形成装置本体側コネクタ１９５（又は１９７）とＥＥＰＲＯＭ２０７（又は２０６）の形状を示した図である。図のように
カートリッジ側コネクタ１９６はプロセスカートリッジ９０のコネクタ取付部３５４に小ねじ３６０によって固定される
【００６２】図９は、図８に示すカートリッジ側コネクタ１９６（又は１９８）と装置本体側コネクタ１９５（又は１９７）の断面図である。」
　
２−１ｆ．「【００６４】カートリッジ側コネクタ１９６は合成樹脂製であって、中空の方形断面の根本側外壁３５３ａから先端が中空の嵌合部３５３ｂとなっている。カートリッジ側コネクタ１９６の中空部には対向する壁間を連結するＩＣ取付部３５３ｃが一体形成されている。又は、嵌着により外壁部３５３ａ及び嵌合部３５３ｂに取り付けられている。その断面は図９に示すようにＴ字形をしている。そして、根本側外壁部３５３ａと嵌合部３５３ｂの対向二辺とＩＣ取付部３５３ｃ間に図の上下で外部に通じている端子取付空間３５３ｄを設けている。ＩＣ取付部３５３ｃに沿ってコンタクト３５２が配され、コンタクト３５２の図９における下端はＩＣ取付部３５３ｃから両側へ向って離れている。
ＥＥＰＲＯＭ２０７はチップ本体３５１ａがＩＣ取付部３５３ｃの直上で隙間を置いて配され、ＥＥＰＲＯＭ２０７のリード線３５１ｂは端子取付空間３５３ｄに上部から進入し、コンタクト３５２に圧接している
　
２−１ｇ．「【００６６】図１０は、カートリッジ側コネクタ１９６の断面図であり、図９のＣーＣ断面図である。同図は、ＥＥＰＲＯＭ−ＩＣの５ピンから８ピンを結ぶ面での断面図である。
図のように、ＩＣの７ピンにはコンタクト３５２は接続されない
　
２−１ｈ．「【００８０】・・・・（途中省略）・・・・
本実施の形態では、プロセスカートリッジ９０である感光体ドラムカートリッジを例にとって説明したが、
マゼンタ、シアン、イエロー、ブラックトナーの入っている現像トナーカートリッジについても同様にしてＥＥＰＲＯＭを取り付けてもよい
　
２−１ｉ．「【００８３】〔実施の形態２〕図１６〜図１７は、本発明の実施の形態２を説明する図面であり、画像形成装置本体側コネクタ１９５とカートリッジ側コネクタ４０５の嵌合部を説明した図面である。
【００８４】図１６はカートリッジ側コネクタ４０５を嵌合部方向から見た斜視図である。同図から明らかな様に、
本コネクタはリセプタクル型コネクタであり、実施の形態１とは異なり、接点部３５２ａが取り付けられている接点取り付け部４０４の外側に、外壁が配置されていない
　
２−１ｊ．【図１】として以下の図面が示されており、現像器７４ａ、７４ｂ、７４ｃ、７４ｄは、いわゆる「ロータリー型現像装置」であることが理解できる。
　
　
２−１ｋ．【図６】として以下の図面が示されており、ＥＥＰＲＯＭ２０６の８本のピン配列は１ピンから順にＣＳ、ＳＫ、Ｄ１、ＤＯ、ＧＮＤ、ＮＣ、ＮＣ、ＶＣＣであって、５ピンのＧＮＤと８ピンのＶＣＣはＥＥＰＲＯＭの同じ側面側にあることが理解できる。
　
　
２−１ｌ．【図８】として以下の図面が示されており、カートリッジ側コネクタ１９６には、該コネクタをプロセスカートリッジ９０のコネクタ取付部３５４に固定するための小ねじ３６０用の穴があることが理解できる。
　
　
２−１ｍ．【図９】及び【図１０】として以下の図面が示されており、上記【図６】のＥＥＰＲＯＭ２０６のピン配列も考慮すると、１ピンから４ピンのそれぞれが接続されるコンタクト３５２の接点部３５２ａは接点取り付け部４０４の一方の面に取り付けられ、５ピン、６ピン及び８ピンが接続されるコンタクト３５２の接点部３５２ａは接点取り付け部４０４の他方の面に取り付けられていることが理解できる。
　
　
　
　
２−１ｎ．【図１６】及び【図１７】として以下の図面が示されており、上記【図８】及び【図９】等の小ねじ３６０用の穴の記載も参酌すると、カートリッジ側コネクタ４０５には２つの小ねじ用の穴が形成されており、また、接点取り付け部４０４は、カートリッジ側コネクタ４０５の小ねじ用の穴のある面から突設されていることが理解できる。
　  
　
　
２−１ｏ．上記２−１ｎ．に摘記した【図１６】及び【図１７】に示された〔実施の形態２〕のカートリッジ側コネクタ４０５は、〔実施の形態１〕のカートリッジ側コネクタ１９６の接点取り付け部４０４の外側にある外壁を無くしたものであるから（上記２−１ｉ．参照）、ＥＥＰＲＯＭ２０７、接点取り付け部４０４、及び接点部３５２ａ等の構造は〔実施の形態１〕として説明された構造を有していると認められる。
　
　上記引用文献１に記載された事項及び図面の記載を総合すると、引用文献１には次の発明が記載されているものと認められる。（以下、「引用文献１記載の発明」という。）
「ロータリー型現像装置に用いる現像トナーカートリッジにおいて、前記現像トナーカートリッジは、ＥＥＰＲＯＭを実装したカートリッジ側コネクタを具備し、
　前記ＥＥＰＲＯＭは、１ピンから順にＣＳ、ＳＫ、Ｄ１、ＤＯ、ＧＮＤ、ＮＣ、ＮＣ、及びＶＣＣの８ピンを有するＥＥＰＲＯＭであり、
　前記カートリッジ側コネクタは、該カートリッジ側コネクタを現像トナーカートリッジに取り付ける際に使用する小ねじ用の穴を設けた部分の面から突設した接点取り付け部を有し、
　前記接点取り付け部の一方の面には、前記ＥＥＰＲＯＭの１ピンから４ピンのそれぞれが接続されるコンタクト３５２の接点部３５２ａが取り付けられ、他方の面には前記ＥＥＰＲＯＭの５ピン、６ピン及び８ピンが接続されるコンタクト３５２の接点部３５２ａが取り付けられている、現像トナーカートリッジ。」
　
２−２．引用文献２
　これに対し、当審における平成２０年９月１６日付けの拒絶理由通知書において引用され、本願出願前に頒布された刊行物である特開平６−６７４８３号公報（以下「引用文献２」という）には、図面とともに以下の事項が記載されている。
　
２−２ａ．「【００２６】この実施例におけるＣＲＵ方式のドラム周辺ユニット５０は、図３に示すように、感光体ドラム３１等の各部品が保持されるユニットケース５１を有し、このユニットケース５１の装着側における先端面には、取付開口５１ａが形成されており、この取付開口５１ａに記憶素子ユニット５２を付設したものである。
【００２７】この記憶素子ユニット５２は、図４（ａ），（ｂ）に示すように、画像記録枚数等のデータが記憶されるＥＥＰＲＯＭ５４を基板５３に取付けたものであり、この基板５３にコネクタ５５を接続するとともに、このコネクタ５５を上記ユニットケース５１の所定部位に図示外のネジ等で固着したものである。そして、上記ドラム周辺ユニット５０が図３の矢印で示す挿入方向から機体フレームの所定部位に装着された段階において、上記ＥＥＰＲＯＭ５４がコネクタ５５を介して電子写真複写機本体側のコントロールボード７０に接続されるようになっている。尚、図４中、符号５６はコネクタ５５の挿入部、５７はコネクタ５５を機体フレーム側の図示外のコネクタに接続する際のガイドロッド、５８は上記コネクタ５５をユニットケース５１に取り付けるための取付孔である。」
　
２−２ｂ．「【００４１】上記ドラム周辺ユニット５０のＥＥＰＲＯＭ５４としては、例えばＸｉｃｏｒ社製のＸ２４０４が用いられる。このＥＥＰＲＯＭ５４は、図７に示すように、電源ラインを除いてデータ線（ＤＡＴ）６１と、クロック線（ＣＬＫ）６２との２本の通信線を介して、コントロールボード７０のＣＰＵ７１と接続されており、このＣＰＵ７１との間でデータの書き込みや読み取り等を双方向のシリアル通信によって行うようになっている。」
　
２−２ｃ．【図３】及び【図４】として、以下の図面が示されており、２つの取付孔５８は挿入部５６の一方の面側に偏って設けられていることが理解できる。
　  
　
　  
　上記引用文献２に記載された事項及び図面の記載を総合すると、引用文献２には次の発明が記載されているものと認められる。（以下、「引用文献２記載の発明」という。）
「感光体ドラム３１等の部品が保持されるユニットケース５１を有するドラム周辺ユニット５０に取り付けられる記憶素子ユニット５２であって、
　前記記憶素子ユニット５２は、基板５３と、前記基板５３に取り付けられた画像記録枚数等のデータが記憶されるＥＥＰＲＯＭ５４と、前記基板５３に接続されるコネクタ５５とを有し、
　前記コネクタ５５は、挿入部５６、ガイドロッド５７、及び、取付孔５８を有し、前記取付孔５８は前記挿入部５６の一方の面側に偏って設けられており、
　前記ドラム周辺ユニット５０を電子写真複写機の所定部位に装着すると、前記ＥＥＰＲＯＭ５４が前記コネクタ５５を介して電子写真複写機本体側のコントロールボード７０に接続されるようになっている記憶素子ユニット５２。」
　
３．本願発明１と引用文献１記載の発明との対比
　本願発明１と引用文献１記載の発明とを対比すると、引用文献１記載の発明の「ロータリー型現像装置に用いる現像トナーカートリッジ」は、本願発明１の「位置移動型現像方式に用いる現像装置」に相当する。
　引用文献１記載の発明の「ＥＥＰＲＯＭ」「カートリッジ側コネクタ」及び「コンタクト」は、それぞれ本願発明１の「情報記録媒体」「コネクタ」及び「端子」に相当する。
　引用文献１記載の発明における「小ねじ用の穴を設けた部分」は、本願発明１の「基部」に実質相当するものであり、この小ねじ用の穴を設けた部分の面から突設した引用文献１記載の発明の「接点取り付け部」は、本願発明１の基部の上方に立設された「仕切壁」に相当する。
　引用文献１記載の発明におけるＥＥＰＲＯＭのＧＮＤ（５ピン）に接続されるコンタクトの接点部は、本願発明１の「アース用端子」に相当し、ＶＣＣ（８ピン）に接続されるコンタクトの接点部は、本願発明１の「電源用端子」に相当する。
　引用文献１記載の発明における「前記接点取り付け部の一方の面には、前記ＥＥＰＲＯＭの１ピンから４ピンのそれぞれが接続されるコンタクトの接点部が取り付けられ、他方の面には前記ＥＥＰＲＯＭの５ピン、６ピン及び８ピンが接続されるコンタクトの接点部が取り付けられている、」は、本願発明１の「仕切壁の両面に複数のコネクタ端子を列状に配置し、」に実質相当する。
　
　そうすると、本願発明１と引用文献１記載の発明とは次の点で一致する。
＜一致点＞
　位置移動型現像方式に用いる現像装置において、該現像装置は複数の端子を有するコネクタを介して読み書きが行われる情報記録媒体を備え、前記コネクタは基部と、前記基部の上方に立設された仕切壁と、前記基部に形成された固定用穴とを有し、前記仕切壁の両面に複数のアース用端子と電源用端子を含むコネクタ端子を列状に配置した現像装置。
　
　一方で、両者は次の点で相違する。
＜相違点１＞
　本願発明１は仕切壁の一方の面にアース用端子を配置し、他方の面に電源用端子を配置しているのに対し、引用文献１記載の発明はアース用端子と電源用端子が共に仕切壁の一方の面に配置されている点。
　
＜相違点２＞
　本願発明１は固定用穴が仕切壁で仕切られた基部の一方の側に形成され、仕切壁の該一方の側の面に配置される端子数を仕切壁の他方の側の面に配置される端子数より少なくし、かつ、仕切壁の前記固定穴の形成された側の端子の配置幅を、仕切壁の他方の側の面に配置される端の配置幅より狭くするのに対し、引用文献１記載の発明はこのような固定用穴の配置、端子数及び配置幅についての特定がされていない点。
　
４．相違点についての判断
＜相違点１＞について
　引用文献１記載の発明の情報記録媒体は、１ピンから順にＣＳ、ＳＫ、Ｄ１、ＤＯ、ＧＮＤ、ＮＣ、ＮＣ、及びＶＣＣの８ピンを有するＥＥＰＲＯＭであるが、このピン配置からすると、該ＥＥＰＲＯＭはMicrowireインターフェースを用いたシリアルＥＥＰＲＯＭであることが推測できる。
　ここで、シリアルＥＥＰＲＯＭのインターフェース規格には、上記Microwireの他、Ｉ２Ｃ、及びＳＰＩといった標準規格があることは技術常識である。そして、Ｉ２Ｃ規格の８Ｐｉｎチップには４ピンをアース、８ピンを電源に接続して使用するものが多くあり、また、８本のピンをすべて電気接続に用いることなく、回路内部に接続されないピン（端子記号としてＮＣ（NotConnected）等で表示）を有していたり、アドレス端子として指定されているピンでも使用しないときにはグランドに接続させたりすることも周知である。（必要であれば「立花紀実男，”シリアルＥＥＰＲＯＭの使い方”，トランジスタ技術１９９７年５月号，ｐ２７７−２８８，ＣＱ出版株式会社」参照。）
　ＥＥＰＲＯＭとしてどのようなチップを用いるかは適宜選択することであり、引用文献１記載の発明の情報記録媒体の代わりに、Ｉ２Ｃ規格の８Ｐｉｎチップで、４ピンをアース、８ピンを電源に接続するタイプのＥＥＰＲＯＭを用いることは、当業者であれば適宜なし得ることである。そうすると、引用文献１記載の発明のコネクタは１〜４ピンが仕切壁の一方の面の端子に接続され、５〜８ピンが仕切壁の他方の面の端子に接続されるから、結果として、ＥＥＰＲＯＭの４ピンに対応するアース用端子と、ＥＥＰＲＯＭの８ピンに対応する電源用端子は、それぞれ仕切壁の異なる面に配置されることになる。
　したがって、引用文献１記載の発明において、情報記録媒体を周知のＥＥＰＲＯＭに置き換えて、上記相違点１に係る本願発明１の構成とすることは当業者が容易になし得ることである。
　
＜相違点２＞について
　引用文献２記載の発明には、本願発明１の「固定穴」に相当する「取付孔５８」を、本願発明１の「仕切壁」に相当する「挿入部５６」の一方の面側に偏って設けることが記載されている。
　また、上記「＜相違点１＞について」に示したとおり、使用する情報記録媒体によっては、仕切壁のそれぞれの面に等しい数の端子が必ずしも必要となるものではない。
　さらに、端子の配置幅を端子の配置列により異ならせることは、特開２００１−２５５７３５号公報、実願平４−１７９４０号(実開平５−６９８７３号)のＣＤ−ＲＯＭ、特開平１１−１８９１１０号公報、特開平３−１１２０８０号公報等にもあるように周知技術である。
　したがって、引用文献１記載の発明におけるコネクタの固定穴をどの位置に設けるかは適宜決められる設計事項であり、仕切壁の端子数の少ない側で、端子の配置幅が狭い側に、引用文献２記載の発明の配置を採用して上記相違点２に係る本願発明１の構成とすることは当業者が容易になし得ることである。
　そして、本願発明１が奏する作用効果は、引用文献１記載の発明、引用文献２記載の発明及び周知技術から当業者が予測できる範囲内のものであって、格別顕著なものでない。
　したがって、本願発明１は引用文献１記載の発明、引用文献２記載の発明及び周知技術に基づいて、当業者が容易に発明をすることができたものである。
　
　なお、請求人は平成２０年１１月４日付けで提出された意見書において、『補正後の請求項１に係る発明は、「仕切壁の前記固定穴の形成された側の面に配置される端子数を仕切壁の他方の側の面に配置される端子数より少なくし」という特徴的構成と、「記仕切壁の前記固定穴の形成された側の端子の配置幅を、仕切壁の他方の側の面に配置される端の配置幅より狭くする」という特徴的構成を備えることにより、明細書（００４６）段落の「また、本実施形態においては、スペースの制約を受けるカートリッジ２１の端部に雄側コネクタ２２を固定するために、端子の配置を工夫している。すなわち、雄側コネクタ２２をカートリッジ２１に固定するための固定用穴５０がある固定部側の列Ｒ２の端子数（本実施形態で５５〜５７の３つ）を、他の列Ｒ１の端子数（本実施形態では５１〜５４の４つ）より少なくしている。これにより、固定部側の固定エリアを確保することができ、ビス等金属で固定する場合には固定部側の端子の絶縁距離を確保することができ、また、樹脂溶着で固定する場合には熱変形などの加工の影響を防ぐことができる。」という作用、効果を奏するものです。』と主張している。
　しかしながら、スペースの制約を受ける状態で、端子等の最適な配置を設計することは、当業者であれば当然になし得る程度の設計的事項であって、その効果についても、当業者なら当然考慮すべき事項を越えるものではない。　
　
５．むすび
　以上のとおり、本願の請求項１に係る発明は、引用文献１及び２に記載された発明及び周知技術に基づいて、当業者が容易に発明をすることができたものであるから、特許法第２９条第２項の規定により特許を受けることができず、本願の他の請求項に係る発明について検討するまでもなく、本願は、拒絶すべきものである。
　よって、結論のとおり審決する。